(57)【特許請求の範囲】
【請求項１】
ケース内に収納しているキーを旋回させて取り出す為の開口部をもつケースに１つ又は複数の旋回するキーを挿入した軸を組み込んだキーケースにおいて、キー収納時には、周囲に溝を形成した段付きピンの溝側面を介して、ケース内側面と段付きピンの間、又は対向する段付きピンの間に挿入したバネの圧により、キー頭部を押さえてケース内に保持し、
キー使用時には収納されているキー群より使用したい目的のキーを保持している段付きピンを押してキー頭部を押さえているバネ圧を開放することにより該キーを旋回取り出し出来るようにしたキーケース。
【請求項２】
旋回するキーを二枚重ねに組み込んだキーケースにおいて、キーを保持又は開放するにあたり、同じ軸穴に挿入されているキー保持用の段付きピンをキーの二枚重ねの合わせ目付近で分割し、分割された段付きピンの間にバネを設けることにより、収納時はキーを保持し、使用時は段付きピンを押し込むことにより開放するようにした請求項１に記載のキーケース。
【請求項３】
前記キーの頭部に旋回中心となる軸穴と該軸穴と同心円状の外形を持った請求項１に記載のキーケースに使用するキー。
【発明の詳細な説明】
【技術分野】
【０００１】
本発明は施錠用のキーを収納したケースより、任意のキーをワンタッチで取り出しが出来るようにしたキー及びケースに関する物である。
【背景技術】
【０００２】
通常、施錠用のキーは両開きの革製のキーケース、あるいはリング状のキーホルダー等にフックにより保持されている。ワンタッチで取り出せる物として（特許３４６７６４５号）、が発明されたがこの従来技術はキーの頭部くぼみに段付きピンの大径部がはまり込み保持される構造であるため、はまり込み部分の精度が必要となり、ケースや段付きピン、キーの頭部くぼみ、旋回軸等の部品を精密に加工する必要があった。又、はまり込み代が必要なため、その隙間分の遊びがあり、収納しているキーが少しはみ出したり、ケース内でがたがたと音がしたりする等の不具合が生じている。  
【特許文献１】特許３４６７６４５号
【発明の開示】
【発明が解決しようとする課題】
【０００３】
現在、キー収納物の多くは両開きの革製のキーケース、もしくはリング状のキーホルダーが使用されているが、それらに複数のキーが収納されている場合はキーの形状で選別する必要があり形状が良く似たものやあまり使用しないものなどは選別が困難になる。又、確実な記憶があっても取り出し動作に時間と労力を要する。又、ワンタッチで取り出せる従来の技術のものは高精度を要し、しかもケース内でがたがたと音がしたり、収納しているキーが少しはみ出したりしている。
【課題を解決するための手段】
【０００４】
本発明はケース内に収納しているキーを旋回させて取り出す為の開口部をもつケースに旋回するキーを挿入した軸を組み込んだキーケースにおいて、キー収納時は段付きピンの溝側面がキー頭部をバネ圧により押さえてケース内に保持し、キー使用時は収納されているキー群より使用したい目的のキーを保持している段付きピンを押してキー頭部を押さえているバネ圧を開放することにより該キーを取り出す構造とした。又、ケース表面に識別用マークやネームを記載することにより、キーの形状を記憶しなくても目的のキーをワンタッチで取り出せるものとした。
【発明の効果】
【０００５】
本発明はケースから目的のキーをワンタッチで取り出せ、しかも構造が簡単でコンパクトであり、信頼性に富んだキーケースである。又、キーの保持をバネ圧方式としたため高い加工精度も必要とせず、収納しているキーのはみ出しや遊びがなく、ケース内でのがたつき音もない。更に、キーケースから目的のキーを取り出す際、ケース表面の識別用マークやネームにより目的のキーをワンタッチで取り出せるので、複数の人間で使用する場合や日頃使用しない錠前でも簡単に選出し、使用できる。尚、キー頭部の加工は必要だが、市販されているブランクキーを使用することが出来るので本発明用の特別なキーを作る必要はない。
【発明を実施するための最良の形態】
【０００６】
本発明のキーケースの主たる構成はケースと、キー及び段付きピンと、バネと、旋回軸からなる。目的のキーをワンタッチで取り出せ、しかも収納状態を安定させたキーケースを製作するにあたり、キー収納時は段付きピンの溝側面がキー頭部をバネ圧により押さえてケース内に保持し、キー使用時は収納されているキー群より使用したい目的のキーを保持している段付きピンを押してキー頭部を押さえているバネ圧を開放することにより該キーを取り出せる構造としたもので、最大収納個数が２個用と４個用のものがある。本発明のキーケースは必要個数に応じた物を製作する事になるが、例えば最大収納個数４個用のキーケースで３個しか収納しない場合でも不足分のキーと同じ厚みのスペーサーを代わりに入れる事で最大収納個数以下何個でも使用可能である。又、本発明のこれまでの説明では平面上に対照的に２組配置したものとしているが、必ずしもそうする必要はなく、照明装置やリモコン発信装置等の電装装置を組み込みたいときは、キー収納は１組のみとし、空いたスペースに要望の装置を組み込むことも可能である。更に、ケース表面に収納しているキーの識別用マークやネームを記載でき目的のキーをワンタッチで取り出すことができる。尚、本発明品の形状や材質、デザイン、識別用マーク等は適宜変更可能である。
以下、図面に示す実施例により本発明を説明する。
【実施例】
【０００７】
（実施の形態１）
図１は最大収納個数２個用のキーケースの平面図を示し、図２は正面図、図３は底面図、図４は左側面図、図５は右側面図である。図６は段付きピンによりキー頭部を保持している状態の断面図である。図７はケース内部の構成を解りやすくする為の断面図である。
【０００８】
図示のように、ケース１１内にキー１２が旋回軸１３を通し組み込んであり、旋回軸１３はケース内側に挟まれた状態で小ネジ１６により取り付けられている。一方、キーを保持するための構成は図６のようにケース内側面と段付きピン１４の間に挿入されたバネ１５の圧力により段付きピン１４の溝側面を介してキーを収納保持している。又、キー取り出し時は段付きピンをケース内方向に押し込み、該キーに作用しているバネ圧を開放することにより該キーを旋回取り出しする。尚、キーは段付きピンを押し込んでバネ圧を開放しないかぎり、キーの位置に関わりなく常にその場で保持されている。但し、バネ圧で保持している力より大きな外力が加われば自在に旋回移動することが出来る。
【０００９】
（実施の形態２）
図８は最大収納個数４個用のキーケースの平面図を示し、図９は全体の正面図、図１０は底面図、図１１は左側面図、図１２は右側面図である。図１３は段付きピンによりキー頭部を保持している状態の断面図である。図１４はケース内部の構成を解りやすくする為の断面図である。
【００１０】
図示のように、基本的には最大収納個数２個用のキーケースと同様であるが、キー２２の頭部形状が同じ物を重ね２個一組として、２組４個を収納したものである。但し、二枚重ねであるため段付きピン２４は図１３のように重ね目付近で分割し、その分割した段付きピンの間にバネ２５を挿入し、該バネの圧力により、段付きピン２４の溝側面を介してキーを保持する構造とている。
【００１１】
（実施の形態３）
図１５は照明装置やリモコン発信装置等の電装装置を組み込んだキーケースの平面図を示す。
【００１２】
図示のように、基本的には最大収納個数２個用又は４個用のキーケースと同様であるが、キー収納は１組のみとし、空いたスペースに要望の装置を組み込んだものである。装置の組み込形態については図１５以外にいろんな方法が考えられるので限定しない。図１５では照明装置３７のスイッチはキー保持用の段付きピン３４と兼用しているが、当然別にすることも可能である。
【００１３】
更に、近年、電磁波等により近づくだけで開錠する電装装置があるが万一の電池切れや故障の場合キーが必要であり、本発明品に組み込むとより便利で使いやすい物が出来る。
【図面の簡単な説明】
【００１４】
【図１】最大収納個数２個用のキーケースの平面図
【図２】最大収納個数２個用のキーケースの正面図
【図３】最大収納個数２個用のキーケースの底面図
【図４】最大収納個数２個用のキーケースの左側面図
【図５】最大収納個数２個用のキーケースの右側面図
【図６】最大収納個数２個用のキーケースのキー頭部の断面図
【図７】最大収納個数２個用のキーケース内部断面図
【図８】最大収納個数４個用のキーケースの平面図
【図９】最大収納個数４個用のキーケースの正面図
【図１０】最大収納個数４個用のキーケースの底面図
【図１１】最大収納個数４個用のキーケースの左側面図
【図１２】最大収納個数４個用のキーケースの右側面図
【図１３】最大収納個数４個用のキーケースのキー頭部の断面図
【図１４】最大収納個数４個用のキーケース内部断面図
【図１５】電装装置を組み込んだキーケースの平面図
【図１６】識別用マークやネームを記載したキーケースの平面図
【符号の説明】
【００１５】
１１．キーケース
１２．キー
１３．旋回軸
１４．段付きピン
１５．バネ
１６．小ネジ
１７．スペーサー
２２．キー
２４．段付きピン
２５．バネ
２７．スペーサー
３１．発光ダイオード
３２．ボタン電池
３３．発信装置基盤
３４．段付きピン
３５．発信用スイッチ
３６．電線
【図１】
0004496557.tif 000002
【図２】
0004496557.tif 000003
【図３】
0004496557.tif 000004
【図４】
0004496557.tif 000005
【図５】
0004496557.tif 000006
【図６】
0004496557.tif 000007
【図７】
0004496557.tif 000008
【図８】
0004496557.tif 000009
【図９】
0004496557.tif 000010
【図１０】
0004496557.tif 000011
【図１１】
0004496557.tif 000012
【図１２】
0004496557.tif 000013
【図１３】
0004496557.tif 000014
【図１４】
0004496557.tif 000015
【図１５】
0004496557.tif 000016
【図１６】
0004496557.tif 000017